(57)【要約】      （修正有）【課題】換気装置の作動により漏洩冷媒の希釈又は排出を促進させることができる空調システムを提供する。【解決手段】冷媒との熱交換により調和空気を生成する熱交換器を有する空調機２０と、空調対象空間における前記冷媒の漏洩を検知するための冷媒センサ２４と、前記空調機２０と通信可能に接続され、ファンによる給気及び／又はファンによる排気を行う複数台の換気装置３０と、前記換気装置３０の動作を制御する制御部３６と、を備えた空調システムＳ。前記制御部３６は、前記冷媒センサ２４が冷媒の漏洩を検知した場合に、前記複数台の換気装置３０のうち、冷媒が漏洩した空調機に最も近い換気装置を作動させる。【選択図】図２
2020183832.tif 000002
【特許請求の範囲】
【請求項１】
冷媒との熱交換により調和空気を生成する熱交換器（２２）を有する空調機（２０）と、
空調対象空間における前記冷媒の漏洩を検知するための冷媒センサ（２４）と、
前記空調機（２０）と通信可能に接続され、ファンによる給気及び／又はファンによる排気を行う複数台の換気装置（３０）と、
前記換気装置（３０）の動作を制御する制御部（３６）と、
を備え、
前記制御部（３６）は、前記冷媒センサ（２４）が冷媒の漏洩を検知した場合に、前記複数台の換気装置（３０）のうち、冷媒が漏洩した空調機に最も近い換気装置を作動させる、空調システム（Ｓ）。
【請求項２】
冷媒との熱交換により調和空気を生成する熱交換器（２２）を有する空調機（２０）、及び、前記空調機（２０）と通信可能に接続され、ファンによる給気及び／又はファンによる排気を行う換気装置（３０）を含む空調ゾーンを複数備えた空調システムであって、
前記空調システムは、さらに
空調対象空間における前記冷媒の漏洩を検知するための冷媒センサ（２４）と、
前記換気装置（３０）の動作を制御する制御部（３６）と、
を備え、
前記制御部（３６）は、前記冷媒センサ（２４）が冷媒の漏洩を検知した場合に、冷媒が漏洩した空調機（２０）を含む空調ゾーンの換気装置（３０）を作動させる、空調システム（Ｓ）。
【請求項３】
前記空調ゾーンに含まれる空調機（２０）及び換気装置（３０）がリモートコントローラ（４１）により操作可能である、請求項２に記載の空調システム（Ｓ）。
【発明の詳細な説明】
【技術分野】
【０００１】
本開示は空調システムに関する。さらに詳しくは、空調機及び換気装置を備えた空調システムに関する。
【背景技術】
【０００２】
事務所ビル、ホテル等の比較的規模の大きい建物では、通常、冷風や温風を生成する空調機と、居室に外気を供給するとともに当該居室の排気を行う換気装置とが併用されている。
【発明の概要】
【発明が解決しようとする課題】
【０００３】
空調機から冷媒が居室内に漏洩すると、酸欠等の不都合が発生する可能性があるが、前述した、空調機及び換気装置を備えた従来の空調システムでは冷媒漏洩について考慮されていなかった。
【０００４】
本開示は、換気装置の作動により漏洩冷媒の希釈又は排出を促進させることができる空調システムを提供することを目的としている。
【課題を解決するための手段】
【０００５】
本開示の第１の観点に係る空調システムは、
（１）冷媒との熱交換により調和空気を生成する熱交換器を有する空調機と、
空調対象空間における前記冷媒の漏洩を検知するための冷媒センサと、
前記空調機と通信可能に接続され、ファンによる給気及び／又はファンによる排気を行う複数台の換気装置と、
前記換気装置の動作を制御する制御部と、
を備え、
前記制御部は、前記冷媒センサが冷媒の漏洩を検知した場合に、前記複数台の換気装置のうち、冷媒が漏洩した空調機に最も近い換気装置を作動させる。
【０００６】
本開示の第１の観点に係る空調システムでは、冷媒センサが冷媒の漏洩を検知した場合に、複数台の換気装置のうち冷媒が漏洩した空調機に最も近い換気装置を作動させる。これにより、省エネを図りつつ漏洩冷媒の希釈又は排出を促進させることができる。空調システムにおける換気装置は、ユーザーのリモートコントロール操作等によって運転オフにされている場合もあるが、本開示の空調システムでは、このような場合でも換気装置を強制的に作動させるので、居室等の空調対象空間に供給される風量を増やして漏洩冷媒の希釈又は排出を促進させることができる。その際、複数台の換気装置のうち冷媒が漏洩した空調機に最も近い換気装置を作動させるので省エネを図ることができる。
【０００７】
本開示の第２の観点に係る空調システムは、
（２）冷媒との熱交換により調和空気を生成する熱交換器を有する空調機、及び、前記空調機と通信可能に接続され、ファンによる給気及び／又はファンによる排気を行う換気装置を含む空調ゾーンを複数備えた空調システムであって、
前記空調システムは、さらに
空調対象空間における前記冷媒の漏洩を検知するための冷媒センサと、
前記換気装置の動作を制御する制御部と、
を備え、
前記制御部は、前記冷媒センサが冷媒の漏洩を検知した場合に、冷媒が漏洩した空調機を含む空調ゾーンの換気装置を作動させる。
【０００８】
本開示の第２の観点に係る空調システムでは、冷媒センサが冷媒の漏洩を検知した場合に、冷媒が漏洩した空調機を含む空調ゾーンの換気装置を作動させる。複数の空調ゾーンが存在する場合、これらの空調ゾーンは、通常、壁又は間仕切りにより空間的に分離されている。この場合、或る空調ゾーンの空調機に配設されている冷媒センサが漏洩冷媒を検知した場合に、他の空調ゾーンの換気装置を作動させても、当該空調機が配設されている或る空調ゾーンにおける漏洩冷媒の希釈又は排出には、ほとんど寄与しない。第２の観点に係る空調システムでは、冷媒が漏洩した空調機を含む空調ゾーンの換気装置を作動させるので、省エネを図りつつ漏洩冷媒の希釈又は排出を効果的に促進させることができる。
【０００９】
（３）前記（２）の空調システムにおいて、前記空調ゾーンに含まれる空調機及び換気装置がリモートコントローラにより操作可能であるものとすることができる。この場合、リモートコントローラにより操作可能とされる空調機及び換気装置を含む空調ゾーンは、通常、壁や間仕切り等で区画された領域であることが多いので、省エネを図りつつ当該区画された領域からの漏洩冷媒の希釈又は排出を効果的に促進させることができる。
【図面の簡単な説明】
【００１０】
【図１】本開示の空調システムの一実施形態の構成説明図である。
【図２】図１に示される空調システムの熱源ユニット及び空調ゾーンＺ１の冷媒配管系統及び空気系統の説明図である。
【図３】換気装置における全熱交換器の構成を示す斜視説明図である。
【発明を実施するための形態】
【００１１】
以下、添付図面を参照しつつ、本開示の空調システムを詳細に説明する。なお、本開示はこれらの例示に限定されるものではなく、特許請求の範囲によって示され、特許請求の範囲と均等の意味及び範囲内でのすべての変更が含まれることが意図される。
【００１２】
〔空調システムの全体構成〕
図１は、本開示の一実施形態に係る空調システムＳの構成説明図であり、図２は、図１に示される熱源ユニット及び空調ゾーンＺ１の冷媒配管系統及び空気系統を示す説明図である。空調システムＳは、冷媒配管方式の分散型の空気調和装置を備えており、蒸気圧縮式の冷凍サイクル運転を行うことで空調対象空間である空調ゾーンＺ１〜２内を冷暖房するとともに、後述する換気装置により当該空調ゾーンＺ１〜２及び換気ゾーン内の換気を行う。本明細書では、例えば同一のリモートコントローラに通信可能に接続されている空調機及び換気装置により空調される一の領域ないしは空間、又は、空調システムを集中的に制御する集中コントローラにおいて予め登録されている所定の空調機及び換気装置により空調される一の領域ないしは空間を「空調ゾーン」という。かかる空調ゾーンは、壁や間仕切り等により空間的に仕切られた閉じられた空間（閉空間）である場合が多いが、このような閉空間に限定されるものではない。一の建物においては、通常、１又は複数の空調ゾーンが存在する。なお、本実施形態に係る空調システムＳは、空調機による空調が行われる空調ゾーンＺ１及びＺ２以外に、換気装置による換気だけが行われる換気ゾーンをカバーしている。
【００１３】
空調システムＳが適用される空調ゾーンＺは、事務所、ホテル、劇場、店舗等、冷房及び／又は暖房と換気とが行われる建物において適宜設定することができる。空調システムＳは、空調ゾーンＺ外に設置される熱源ユニット１０と、空調ゾーンＺ内に設置される空調機である室内機２０と、空調ゾーンＺ外に設置される換気装置３０とを備えている。なお、図１では、室内機２０と換気装置３０との位置関係を分かり易くするために、空調ゾーンＺ内に換気装置を描いているが、厳密には、当該換気装置は空調ゾーンＺを構成する居室の、例えば天井裏に配設されており、空調対象とされる空間内に配設されてはいない。空調ゾーンＺ１において、換気装置３０ａの給気口又は排気口（図示せず）は、換気装置３０ｂ及び３０ｃの給気口又は排気口よりも室内機２０ａに近い位置に設けられている。また、換気装置３０ｃの給気口又は排気口（図示せず）は、換気装置３０ａ及び３０ｂの給気口又は排気口よりも室内機２０ｂに近い位置に設けられている。
【００１４】
同様に、空調ゾーンＺ２において、換気装置３０ｄの給気口又は排気口（図示せず）は、換気装置３０ｅの給気口又は排気口よりの室内機２０ｃに近い位置に設けられている。なお、換気装置３０ａ〜ｅが空調ゾーンＺ外に配設される場合においても同様に、換気装置３０ａの給気口又は排気口（図示せず）は、換気装置３０ｂ及び３０ｃの給気口又は排気口よりも室内機２０ａに近い位置に設けられている。
【００１５】
熱源ユニット１０と室内機２０は、液冷媒連結管１１及びガス冷媒連結管１２により接続されている。また、換気装置３０と、空調ゾーンＺとは給気（ＳＡ）用ダクト３１及び還気（ＲＡ）用ダクト３２により接続されている。空調ゾーンＺ内において、室内機２０は床面に設置してもよいし、天井付近に配設してもよいし、また、天井裏に配設してもよい。なお、図１に示される実施形態では、一例として空調ゾーンＺ１に２台の室内機２０が描かれているが、室内機２０の数は１台でもよいし、３台以上でもよい。また、複数の換気装置として３台の換気装置３０が描かれているが、換気装置３０の数も２台でもよいし、４台以上でもよい。
【００１６】
熱源ユニット１０は、圧縮機１３、四路切換弁１４、熱源側熱交換器１５、熱源側膨張弁１６、液側閉鎖弁１７、及びガス側閉鎖弁１８を備えている。熱源ユニット１０には、集中コントローラ４０が通信可能に接続されており、この集中コントローラ４０によって建物が３つのゾーン、すなわち２つの空調ゾーンＺ１、Ｚ２及び１つの換気ゾーンに分けられている。空調ゾーンＺ１には、２台の室内機２０ａと、３台の換気装置３０ａ、３０ｂ、３０ｃとが配設されている。空調ゾーンＺ２には、１台の室内機２０ｂと、２台の換気装置３０ｃ、３０ｄとが配設されている。熱源ユニット１０と、３台の室内機２０ａ、２０ｂ、２０ｃと、６台の換気装置３０ａ、３０ｂ、３０ｃ、３０ｄ、３０ｅ、３０ｆとは、図１において破線で示されるように、通信可能に接続されている。
【００１７】
圧縮機１３は、圧縮機用のモータ（図示せず）によって駆動される密閉式圧縮機であり、吸入流路１３ａからガス冷媒を吸入する。
【００１８】
四路切換弁１４は、冷媒の流れの方向を切り換えるための機構である。冷房運転時には、図２において実線で示されるように、四路切換弁１４は、圧縮機１３の吐出側の冷媒配管１３ｂと熱源側熱交換器１５の一端とを接続するとともに、圧縮機１３の吸入側の吸入流路１３ａとガス側閉鎖弁１８とを接続する。これにより、熱源側熱交換器１５が、圧縮機１３によって圧縮される冷媒の凝縮器として機能し、かつ、後述する利用側熱交換器が、熱源側熱交換器１５において凝縮した冷媒の蒸発器として機能する。
【００１９】
また、暖房運転時には、図２において破線で示されるように、四路切換弁１４は、圧縮機１３の吐出側の冷媒配管１３ｂとガス側閉鎖弁１８とを接続するとともに、吸入流路１３ａと熱源側熱交換器１５の一端とを接続する。これにより、利用側熱交換器が、圧縮機１３によって圧縮された冷媒の凝縮器として機能し、かつ、熱源側熱交換器１５が、利用側熱交換器において冷却された冷媒の蒸発器として機能する。
【００２０】
熱源ユニット１０は、当該熱源ユニット１０内に外気を取り入れ、熱源側熱交換器１５を流れる冷媒との間で熱交換された外気を屋外に排出するための熱源側ファン１９を備えている。
【００２１】
室内機２０は、それぞれ冷媒連絡管１１、１２を介して熱源ユニット１０に接続されている。図１に示される３台の室内機２０は、いずれも同じ外形及び内部構造である。室内機２０は、利用側膨張弁２１、利用側熱交換器２２、及び利用側ファン２３を備えている。利用側ファン２３は、室内機２０内に居室Ｒの空気を吸入し、利用側熱交換器２２を流れる冷媒との間で熱交換された空気を空調ゾーンＺに供給する。本実施形態における室内機２０は、利用側熱交換器２２及び冷媒配管等から漏洩した冷媒を検知する冷媒センサ２４を備えている（図２参照）。冷媒センサ２４の位置は、漏洩冷媒が検知可能な箇所であれば特に限定されないが、例えば、冷媒配管同士の接合点、冷媒配管の９０度以上の曲げ箇所、配管厚さが薄い箇所等、冷媒の漏洩が発生しやすい箇所の近傍に配置することが望ましい。なお、冷媒センサ２４は、室内機２０の内部に配設する以外に、例えば室温や風量等を設定するための後述するリモートコントローラに搭載したり、また、居室の壁面等の適宜の箇所に配設したりすることもできる。
【００２２】
また、室内機２０は、冷媒センサ２４からの検知信号を受信したり、室内機２０における利用側ファン２３等の動作を制御したりする制御部２５を備えている。この制御部２５は、後述する換気装置３０の制御部３６と通信可能に接続されている。
【００２３】
換気装置３０は、空調ゾーンＺ及び換気ゾーンに新鮮な外気ＯＡを供給するとともに、空調ゾーンＺ及び換気ゾーンからの還気ＲＡを機外に排出する。換気装置３０は、全熱交換器３３と、送風用ファン３４と、排気用ファン３５と、当該送風用ファン３４及び排気用ファン３５の動作を制御する制御部３６とを備えている。本実施形態における全熱交換器３３は、室外からの外気ＯＡと居室からの還気ＲＡとがほぼ直交するように構成された直交型の全熱交換器である。全熱交換器３３は、図３に示されるように、伝熱性及び透湿性を有する平板状の仕切板３３ａと、ほぼ三角形状の断面を有しており、流路高さを維持する間隔板３３ｂとの積層体から構成されている。間隔板３３ｂは、或る側面において上下方向（図３において上下の方向）で波形状の断面が１枚おきに現れるように、１枚ごとに９０度角度を変えて積層されている。これにより、透湿性を有する仕切板３３ａを挟んで給気側通路（図３における白抜き矢印参照）と排気側通路（図３における黒矢印参照）とが形成され、この仕切板３３ａを介して顕熱と潜熱の交換が行われるようになっている。本実施形態における換気装置３０は、ファンにより給気され、ファンにより排気される第１種換気装置である。なお、本開示における換気装置として、給気はファンにより行い、排気は自然排気である第２種換気装置、又は、排気はファンにより行い、給気は自然給気である第３種換気装置を用いることもできる。
【００２４】
空調ゾーンＺ１には、リモートコントローラ４１ａが配設されており、室内機２０ａ、２０ｂ及び換気装置３０ａ、３０ｂ、３０ｃは当該リモートコントローラ４１ａと通信可能に接続されている。同様に、空調ゾーンＺ２には、リモートコントローラ４１ｂが配設されており、室内機２０ｃ及び換気装置３０ｄ、３０ｅは当該リモートコントローラ４１ｂと通信可能に接続されている。例えば、空調ゾーンＺ１の室内機２０及び換気装置３０は、通常は前記集中コントローラ４０によって、その運転が制御されているが、リモートコントローラ４１ａを操作することでユーザーが温度調節や機器運転の発停等を行うことができる。図１に示される実施形態では、同一のリモートコントローラに通信可能に接続されている空調機及び換気装置により空調される一の領域ないしは空間が、空調ゾーンを構成している。
【００２５】
〔空調システムＳの動作〕
前述した構成を有する空調システムＳは、以下のようにして冷房運転又は暖房運転を行う。
冷房運転時には、前述したように、四路切換弁１４は図２において実線で示される状態となる。この状態において、圧縮機１３から吐出された高圧のガス冷媒は、四路切換弁１４を経由して凝縮器として機能する熱源側熱交換器１５に送られ、熱源側ファン１９によって供給される外気と熱交換を行って冷却される。熱源側熱交換器１５において冷却されて液化した高圧の冷媒は、液冷媒連絡管１１を経由して各室内機２０に送られる。各室内機２０に送られた冷媒は、利用側膨張弁２１によって減圧されて低圧の気液二相状態の冷媒となり、蒸発器として機能する利用側熱交換器２２において空調ゾーンＺ内の空気と熱交換をし、蒸発して低圧のガス冷媒となる。利用側熱交換器２２において加熱された低圧のガス冷媒は、ガス冷媒連絡管１２を経由して熱源ユニット１０に送られ、四路切換弁１４を経由して再び圧縮機１３に吸入される。
【００２６】
一方、暖房運転時には、前述したように、四路切換弁１４は図２において破線で示される状態となる。この状態において、圧縮機１３から吐出された高圧のガス冷媒は、四路切換弁１４及びガス冷媒連絡管１２を経由して各室内機２０に送られる。各室内機２０に送られた高圧のガス冷媒は、凝縮器として機能する利用側熱交換器２２に送られ、空調ゾーンＺ内の空気と熱交換を行って冷却された後、利用側膨張弁２１を通過し、液冷媒連絡管１１を経由して熱源ユニット１０に送られる。熱源ユニット１０に送られた高圧の冷媒は、熱源側膨張弁１６によって減圧されて低圧の気液二相状態の冷媒となり、蒸発器として機能する熱源側熱交換器１５に流入する。熱源側熱交換器１５に流入した低圧の気液二相状態の冷媒は、熱源側ファン１９によって供給される外気と熱交換を行って加熱され、蒸発して低圧の冷媒となる。熱源側熱交換器１５を出た低圧のガス冷媒は、四路切換弁１４を経由して再び圧縮機１３に吸入される。
【００２７】
〔換気装置の（強制）作動〕
<第１実施形態>
冷媒センサが冷媒の漏洩を検知しないときの通常運転時には、前記のような冷房運転又は暖房運転とともに、換気装置３０による空調ゾーンＺ及び換気ゾーンの換気が行われる。必要な換気量（ｍ３／ｈ）は空調ゾーンＺ及び換気ゾーンの用途及び当該空調ゾーンＺ及び換気ゾーンの床面積に応じて選定される。換気装置３０は、通常、この必要な換気量を満たすように運転されるが、例えば、春や秋の中間期等において窓を開けることで自然換気を行う場合は、換気装置３０の運転をオフ（ＯＦＦ）にすることがある。この運転オフは、運転スケジュールに沿って行われる場合もあれば、ユーザーがリモートコントローラ４１ａ、４１ｂ（図１参照）を操作して行う場合もある。複数の換気装置３０が設けられている場合は、その一部の換気装置３０の運転をオフにすることもある。
【００２８】
本実施形態では、室内機２０に配設された冷媒センサ２４が冷媒の漏洩を検知した場合に、当該冷媒が漏洩した室内機２０に最も近い換気装置を作動させる。具体的に、例えば室内機２０ａからの冷媒漏洩が検知された場合に、この室内機２０ａに最も近い換気装置３０ａを作動させる。これにより、省エネを図りつつ、効果的に漏洩冷媒の希釈又は排出を行うことができる。また、室内機２０ｂからの冷媒漏洩が検知された場合には、当該室内機２０ｂに最も近い換気装置３０ｃが作動される。
【００２９】
なお、本開示では、最も近い１台の換気装置以外に、「近い換気装置」として、当該最も近い換気装置を含む２台以上の換気装置を作動させることもできる。図１〜２に示される実施形態では、空調ゾーンＺ１内に３台の換気装置３０ａ，３０ｂ、３０ｃが配設されているが、例えば、或る空調ゾーンに３台の換気装置が配設されている場合、冷媒が漏洩した室内機に最も近い換気装置と、その次に近い換気装置とを作動させることもできる。図１に示される実施形態の場合、例えば室内機２０ａからの冷媒漏洩が検知された場合、当該室内機２０ａに最も近い換気装置３０ａと、その次に近い換気装置３０ｂとを作動させることができる。
【００３０】
前記「近い換気装置」は、室内機及び換気装置にＷｉ−Ｆｉを付設しておき、冷媒漏洩時に、室内機側からＷｉ−Ｆｉをとばし、その反応強度により換気装置の位置関係を把握することで選定することができる。そして、選定された換気装置を作動させることで、漏洩冷媒を効果的に希釈又は排出させることができる。複数台の換気装置が選定された場合、そのうちの最も近い換気装置だけを作動させることもできる。「近い換気装置」としては、例えば、冷媒が漏洩した室内機から所定距離以内、例えば１０ｍ以内の換気装置とすることができる。かかる、位置関係の把握は、Ｗｉ−Ｆｉ以外にも、例えばＧＰＳやＢＬＥ（Ｂｌｕｅｔｏｏｔｈ（登録商標）  Ｌｏｗ  Ｅｎｅｒｇｙ）を利用して行うこともできる。
【００３１】
図１に示される実施形態では、空調ゾーンＺ１内の２台の室内機２０と、３台の換気装置３０とが通信可能に接続されている。室内機２０の冷媒センサ２４が冷媒の漏洩を検知すると、その情報は当該室内機２０に配設された制御部２５に送信される。制御部２５は、前記のようにして選定された、当該冷媒が漏洩した室内機２０に最も近い換気装置に作動信号を送信して、この作動信号を受信した換気装置が作動して空調ゾーンＺ１の換気を行う。これにより、漏洩冷媒の希釈又は空調ゾーンＺ１からの排出を効果的に促進させることができる。
【００３２】
<第２実施形態>
図１に示される空調システムＳは２つの空調ゾーンゾーンＺ１及び空調ゾーンＺ２を備えている。各空調ゾーンは、空調機である室内機及び換気装置を備えている。また、２つの空調ゾーンＺ１、Ｚ２及び換気ゾーンは、図示しない壁又は間仕切りにより空間的に分離されている。したがって、例えば室内機２０ａに配設されている冷媒センサが漏洩冷媒を検知した場合に、空調ゾーンＺ２の換気装置３０ｃ、３０ｄを作動させても、当該室内機２０ａが配設されている空調ゾーンＺ１における漏洩冷媒の希釈又は排出には、ほとんど寄与しない。本実施形態では、冷媒が漏洩した室内機を含む空調ゾーンの換気装置を作動させる。例えば、室内機２０ａ又は室内機２０ｂからの冷媒漏洩が検知された場合は、当該室内機２０ａ及び室内機２０ｂを含む空調ゾーンＺ１の換気装置３０を作動させる。これにより、省エネを図りつつ漏洩冷媒の希釈又は排出を効果的に促進させることができる。
なお、この場合に、空調ゾーンＺ１に含まれる３台の換気装置３０ａ、３０ｂ、３０ｃをすべて作動させてもよいし、また、第１実施形態のように、冷媒が漏洩した室内機に最も近い室内機を作動させてもよい。
【００３３】
〔その他の変形例〕
本開示は前述した実施形態に限定されるものではなく、特許請求の範囲内において種々の変更が可能である。
例えば前述した実施形態では、熱源ユニットの数は１であるが、２台以上の熱源ユニットを採用することができ、熱源ユニット、室内機及び換気装置の数及び配置は、特に限定されるものではなく、適宜選定して空調システムを構成することができる。
【００３４】
また、前述した実施形態では、空調システム内に２つの空調ゾーンが設定されているが、空調ゾーンの数は１でもよいし、３以上でもよい。さらに、換気ゾーンを含まない空調システムとすることもできる。
また、前述した実施形態では、換気装置内に直交型の全熱交換器を配設しているが、ロータの回転により還気からの熱回収を行う回転型の全熱交換器を採用することもできる。また、換気装置における、かかる全熱交換器の採用を省略することもできる。
【符号の説明】
【００３５】
１０  ：  熱源ユニット
１３  ：  圧縮機
１４  ：  四路切換弁
１５  ：  熱源側熱交換器
１６  ：  熱源側膨張弁
１９  ：  熱源側ファン
２０  ：  室内機（空調機）
２１  ：  利用側膨張弁
２２  ：  利用側熱交換器
２３  ：  利用側ファン
２４  ：  冷媒センサ
２５  ：  制御部
３０  ：  換気装置
３３  ：  全熱交換器
３４  ：  送風用ファン
３５  ：  排気用ファン
３６  ：  制御部
４０  ：  集中コントローラ
４１ａ：  リモートコントローラ
４１ｂ：  リモートコントローラ
Ｓ  ：  空調システム
Ｚ  ：  空調ゾーン
【図１】
2020183832.tif 000003
【図２】
2020183832.tif 000004
【図３】
2020183832.tif 000005